(57)【要約】      （修正有）【課題】構造が精密且つ簡易で、組み立ても簡単で、しかも結合状態を安定且つ密着強化させる同軸ケーブルコネクタを提供する。【解決手段】接続プラグ１０と筒状ケース２０を有する同軸ケーブルコネクタで、前記筒状ケース２０は保護リング２５と、管軸と、弾性リング２１を含み、前記弾性リング２１の一端は凹溝２３とかえし爪部２２を具し、他端の付近に切欠きを具し、弾性リング２１後端に歯止めリングを形成する。前記保護リング２５の一端には歯止め端２８を有する金属管体がある。筒状ケース２０と接続プラグ１０を接合するとき、同軸ケーブルを筒状ケース２０の後方から穿入し、工具での扶合により弾性リング２１の切りかきを断裂させた後、後端の歯止めリングは切欠きの斜面に沿って前方に押し込まれ、且つその外縁は保護リング２５の制限を受けることにより歯止めリングは下方に押し込まれ、同軸ケーブルと筒状ケース２０の結合の密着度を増加させる。【選択図】図１
0003146241.tif 000002
【実用新案登録請求の範囲】
【請求項１】
同軸ケーブルコネクタにおいて、接続プラグと、管軸と、前記管軸の外部に同心に巻きつけられた弾性リングと、前記弾性リングの外部に配置されている保護リングを含み、前記管軸は、同軸ケーブルの内部導体、及び絶縁体に装入され、前記弾性リングは、外部導体、及び外皮に装入され、前記弾性リングの一端には、凹溝、及び爪部があり、側近端部には切欠きがあり、それにより切欠きの後方に歯止めリングを形成し、前記保護リングの一端には、折り返しのある金属短管があり、同軸ケーブルを前記筒状ケース内に完全に装入して工具によって筒状ケースに力を加えて、前記弾性リングの切欠きは断裂し、歯止めリングと弾性リングとを分離させ、前記歯止めリングは切欠きの頂面に沿って前に押し込まれ、且つ保護リングの制限を受け、歯止めとリングと弾性リングを下に押し込むことにより、強制的に同軸ケーブルとコネクタを密着して結合させることを特徴とする同軸ケーブルコネクタ。
【請求項２】
前記接続プラグは、同軸ケーブルコネクタであるＦ型プラグ、ＢＮＣプラグ、ＲＣＡプラグ、またはＩＣＥプラグの、任意の一つであることを特徴とする請求項１に記載した同軸ケーブルコネクタ。
【考案の詳細な説明】
【技術分野】
【０００１】
本考案は、同軸ケーブルの結合密着度を強化させたもので、特に信号伝送の同軸ケーブルの接続に関する同軸ケーブルコネクタである。
【背景技術】
【０００２】
従来、ケーブルテレビシステムや共同アンテナテレビシステムは、主幹線を分配器に接続すると共にこの分配器によって出力し、副幹線をそれぞれユーザーサイドに接続して、テレビシステムが伝送した信号を受信するようにしている。また、主幹線の同軸ケーブルは、その末端において同軸コネクタを結合し、この同軸コネクタによって分配器に装着されている。
【０００３】
従来のＦ型同軸ケーブルコネクタを図５に示す。前期コネクタは、コネクタ本体Ａを含み、クリップ管Ａ１と、クリップ管Ａ１内に同軸に配置された柱状部品Ｂ、及びＯリングＣと、ネジきりケースＤを柱状部品Ｂの周囲に配置する。また、同軸ケーブルの自由端をコネクタ本体Ａの末端Ａ２に挿入し、絶縁体８２と内部導体８１を柱状部品Ｂの中に入れ、外部導体８３と、外皮８４を柱状部品Ｂの外部と、クリップ管Ａ１の間に配置し、六角かしめ工具を用いて力を加え、クリップ管Ａ１に圧力を加えることにより、同軸ケーブル８０の外皮８４と密封結合させる。
【考案の開示】
【考案が解決しようとする課題】
【０００４】
しかし、この種のコネクタは、同軸ケーブルと結合させる場合、六角かしめ工具を使用して、クリップ管Ａ１に力を加え、同軸ケーブルと結合させるが、この工具の使用は、作業員の力の不均一によって、結合が不密着となる可能性があるという欠点がある。よって、密着度を強化させた同軸ケーブルコネクタが必要となっていた。
【０００５】
そこで、本考案は、構造が精密且つ簡易で、組み立てが簡単、且つ安定した結合を形成することが可能な同軸ケーブルコネクタを提供する事を目的とするものである。
【課題を解決するための手段】
【０００６】
上記の目的を達するため、本考案の同軸ケーブルコネクタは、接続プラグと、筒状ケースとを含み、前記筒状ケースは、保護リングと、管軸と、弾性リングとで構成され、前記管軸は導孔を有し、その一端は数個の段階部と歯止めがあり、他端は数個のかえし爪部がある。前記弾性リングは、一端に凹溝と爪部があり、他端の末端付近部に切欠きがあり、弾性リングの後端に歯止めリングを形成する。前記保護リングは、一端に歯止め縁を有する金属管体となる。筒状ケースが接続プラグと接合するとき、前記同軸ケーブルは筒状ケースの後方に穿入され、工具を用いて挟合し、筒状ケース内部の弾性リングの切欠きを断裂させた後、後端の歯止めリングは、切欠きの斜面に沿って引き続き前に押し込まれ、且つ、その外縁は保護リングの制限を受けることにより、歯止めリングは下に押し込まれ、同軸ケーブルと筒状ケースの結合密着度を強化させる。
【考案の効果】
【０００７】
よって、本考案の同軸ケーブルコネクタは、精緻簡易な構成部品のため、組み立てや使用において、ともに非常に便宜であり、筒状ケースと同軸ケーブルを結合する際、工具の使用が簡単であり、安定した強固な結合を得ることができる。
【０００８】
また、本考案の同軸ケーブルコネクタは、筒状ケース外側の保護リングは剛性のある材質で製成されるため、内部歯止めリングが、断裂且つ押し込まれる際、同軸ケーブルとコネクタを密着に結合させることができる。
【考案を実施するための最良の形態】
【０００９】
以下に、図面に基づき、本考案の実施形態を更に詳しく説明する。
図１、図２に示すように、本考案の同軸ケーブルコネクタは、接続プラグ１０と、筒状ケース２０を含む。本実施例での接続プラグ１０はＦ型プラグ１０であり、図面に基づき説明すると、前記Ｆ型プラグ１０の外縁の一端にナット１１を形成し、前記ナット１１の端部には、内部に向かって、歯止めリング１４を備え、且つ前記接続プラグ１０の内壁には、ねじ切り１２と凸リング１３を備える。
【００１０】
前記筒状ケース２０は、弾性リング２１と、管軸２７と、保護リング２５とを含み、前記弾性リングの一端の内縁に折り返し部を形成し、該当端の外縁周に凹溝２３及び爪部２２を設ける。前記弾性リング２１の他端の末端付近部一周に切欠き２４を設け、切欠き２４の後方に歯止めリング２４３を形成し、且つ、切欠き２４の前端の適度な所に係止窪み２４１及び２４２を設ける。前記管軸２７の中央に導孔を設け、その外縁の一端に、複数の段階部３０及び歯止めリング２８を設け、他端に複数のかえし爪部２９を設ける。前記保護リング２５は金属材質で製成され、一端に折り返し端２６を有する短管で、他端の内縁に係止突起２５１を突設する。
【００１１】
前記弾性リング２１は、保護リング２５の中に収められ、これにより、弾性リング２１末端の歯止めリング２４３は、保護リング２５の折り返し端２６に係止され、前記保護リング２５の内壁に突設された係止突起２５１は、弾性リング２１の切欠き２４２上に嵌合され、組み立て時、前記管軸２７は、歯止め端２８とＦ型プラグ１０の内壁の凸縁１３とにより、相互に歯止められ、且つ、筒状ケース２０は、弾性リング２１の爪部２２によって、Ｆ型プラグ１０の歯止め端１４に係止される。
【００１２】
使用時は、同軸ケーブル８０の自由端を筒状ケース２０の末端に挿入し、同軸ケーブル８０の内部導体８１と絶縁層８２を管軸２７の内部に、外部導体８３及び外皮８４を管軸２７の外部に置く。この時、工具で筒状ケース２０に圧力を加えることにより、切欠き２４を断裂させ、歯止めリング２４３を弾性リング２１と分離させ、しかも、引き続き保護リング２５に圧力を加えて、断裂した歯止めリング２４３は、切欠き２４の斜面に沿って前進し、保護リング２５の内壁の係止窪み２５１が、係止窪み２４２から係止窪み２４１に達するまで引き続き押し込まれる。歯止めリング２４３は、保護リング２５の制限を受けることにより、弾性リング２１の後端を強制的に下方に押し込み、図３に示すように、歯止めリング２４３と弾性リング２１の押し込み、変形により外部導体８３及び外皮８４と管軸２７のかえし爪部２９とを更に密着に結合させる。
【００１３】
図４に、筒状ケース２０で使用可能な各種形式のプラグと、便宜で良好な扶持方法を示す。例えば、ＢＮＣプラグ１５、ＲＣＡプラグ１６、またはＩＥＣプラグ等は、すべて、筒状ケース２０内部の弾性リング２１の切欠き２４と歯止めリング２４３の作用により、同軸ケーブルコネクタと同軸ケーブルの結合を密着にすることができる。
【図面の簡単な説明】
【００１４】
【図１】本考案の実施例の立体外観図である。
【図２】本考案の実施例の組み立て断面図である。
【図３】本考案の実施例の使用状態である。
【図４】本考案の筒状ケースに合わせられる各種接続プラグの選択図である。
【図５】従来の同軸ケーブルコネクタの使用状態の断面図である。
【符号の説明】
【００１５】
１０  接続プラグ（Ｆ型プラグ）
１１  ナット
１２    ネジ
１３  凸縁
１４  歯止め端
１５  ＢＮＣプラグ
１６  ＲＣＡプラグ
１７  ＩＥＣプラグ
２０  筒状ケース
２１  弾性リング
２２  爪部
２３  凹溝
２４  切欠き
２４１  係止窪み
２４２  係止窪み
２４３  歯止めリング
２５  保護リング
２５１  係止突起
２６  折り返し端
２７  管軸
２８  歯止め端
２９  かえし爪部
３０  段階部
８０  同軸ケーブル
８１  内部導体
８２  絶縁体
８３  外部導体
８４  外皮
Ａ  コネクタ本体
Ａ１  挟管
Ａ２  末端
Ｂ  柱形パーツ
Ｃ  Ｏリング
ｄ  ネジ切りカバー
【図１】
0003146241.tif 000003
【図２】
0003146241.tif 000004
【図３】
0003146241.tif 000005
【図４】
0003146241.tif 000006
【図５】
0003146241.tif 000007